(57)【要約】【課題】磁気ストライプデータが破壊されたＩＣキャッシュカードの再発行処理の手間を少なくする。【解決手段】現金自動取引装置がＩＣキャッシュカードの磁気ストライプのデータを読み取れなかった場合に、ＩＣキャッシュカードのＩＣチップのデータを読み出し、該ＩＣチップのデータと顧客に入力させた暗証番号を前記ホストコンピュータに送信し磁気ストライプデータの再発行要求を行い、前記ホストコンピュータが前記磁気ストライプデータの再発行要求の妥当性を判定した上で当該磁気ストライプデータを前記現金自動取引装置に送信し、前記磁気ストライプデータを受信した前記現金自動取引装置が該磁気ストライプデータを前記ＩＣキャッシュカードの磁気ストライプに磁気記録することで前記磁気ストライプデータを復元する。【選択図】図１
2015111331.tif 000002
【特許請求の範囲】
【請求項１】
現金自動取引装置を用いるＩＣキャッシュカード再発行システムであって、
現金自動取引装置からの磁気ストライプデータの再発行要求の妥当性を判定した上で当該磁気ストライプデータを前記現金自動取引装置に送信するホストコンピュータを有し、
前記現金自動取引装置が、ＩＣキャッシュカードの磁気ストライプのデータを読み取れなかった場合に、ＩＣキャッシュカードのＩＣチップのデータを読み出し、該ＩＣチップのデータと顧客に入力させた暗証番号を前記ホストコンピュータに送信し磁気ストライプデータの再発行要求を行う制御手段を有し、
前記現金自動取引装置が、前記ホストコンピュータから前記磁気ストライプデータを受信し、前記磁気ストライプデータを前記ＩＣキャッシュカードの磁気ストライプに磁気記録することで前記磁気ストライプデータを復元する手段を有することを特徴とするＩＣキャッシュカード再発行システム。
【請求項２】
請求項１記載のＩＣキャッシュカード再発行システムであって、
前記現金自動取引装置が、前記ＩＣキャッシュカードの磁気ストライプデータを復元した後に、前記ＩＣキャッシュカードの磁気ストライプのデータを再度読み出し、前記磁気ストライプのデータを読み取れなかった場合に、通帳を前記現金自動取引装置に設置することを要求して前記通帳を受け取った上で、前記通帳の通帳データを読み取る手段を有し、前記制御手段が、前記通帳データと前記ＩＣチップのデータと前記暗証番号を前記ホストコンピュータに送信しＩＣキャッシュカードの再発行要求を行う手段を有し、
前記ホストコンピュータが、前記ＩＣキャッシュカードの再発行要求の妥当性を判定した上で当該ＩＣキャッシュカードの再発行用データを送信する手段を有し、
前記現金自動取引装置が、前記ＩＣキャッシュカードの再発行用データを受信し、カード供給部から再発行用ＩＣキャッシュカードを取り出す手段と、前記再発行用ＩＣキャッシュカードに前記再発行用データを書き込んでＩＣキャッシュカードを再発行する手段を有する
ことを特徴とするＩＣキャッシュカード再発行システム。
【請求項３】
現金自動取引装置とセンタのホストコンピュータを用いるＩＣキャッシュカード再発行方法であって、
現金自動取引装置がＩＣキャッシュカードの磁気ストライプのデータを読み取れなかった場合に、ＩＣキャッシュカードのＩＣチップのデータを読み出し、該ＩＣチップのデータと顧客に入力させた暗証番号を前記ホストコンピュータに送信し磁気ストライプデータの再発行要求を行い、前記ホストコンピュータが前記磁気ストライプデータの再発行要求の妥当性を判定した上で当該磁気ストライプデータを前記現金自動取引装置に送信し、前記磁気ストライプデータを受信した前記現金自動取引装置が該磁気ストライプデータを前記ＩＣキャッシュカードの磁気ストライプに磁気記録することで前記磁気ストライプデータを復元することを特徴とするＩＣキャッシュカード再発行方法。
【請求項４】
請求項３記載のＩＣキャッシュカード再発行方法であって、
前記ＩＣキャッシュカードの磁気ストライプデータを復元した後に、前記ＩＣキャッシュカードの磁気ストライプのデータを再度読み出し、前記磁気ストライプのデータを読み取れなかった場合に、通帳を前記現金自動取引装置に設置することを要求して前記通帳を受け取った上で、前記通帳の通帳データを読み取り、
該通帳データと前記ＩＣチップのデータと前記暗証番号を前記ホストコンピュータに送信しＩＣキャッシュカードの再発行要求を行い、前記ホストコンピュータが前記ＩＣキャッシュカードの再発行要求の妥当性を判定した上で当該ＩＣキャッシュカードの再発行用データを送信し、
前記ＩＣキャッシュカードの再発行用データを受信した前記現金自動取引装置が、
カード供給部から取り出した再発行用ＩＣキャッシュカードに対して、前記ＩＣキャッシュカードの再発行用データを書き込んでＩＣキャッシュカードを再発行することを特徴とするＩＣキャッシュカード再発行方法。
【発明の詳細な説明】
【技術分野】
【０００１】
本発明は、現金自動取引装置においてＩＣキャッシュカードの損傷を検出した場合に、センタのホストコンピュータと通信してＩＣキャッシュカードを再発行するＩＣキャッシュカード再発行システム及び再発行方法に関する。
【背景技術】
【０００２】
近年、不揮発性のデータメモリとそれを制御するためのＣＰＵ（セントラル・プロセッシング・ユニット）を有するＩＣチップを内蔵したＩＣキャッシュカードを金融機関の現金自動取引装置で読み込むことで、顧客に現金を簡便に入出金するシステムが利用されている。
【０００３】
このＩＣキャッシュカードには、磁気カードにのみ対応する旧機種の現金自動取引装置でも取り扱えるように、ＩＣチップとともに、旧機種に対応する磁気ストライプを併用したＩＣキャッシュカードが用いられている。
【０００４】
しかし、そのＩＣキャッシュカードの磁気ストライプデータは破壊され易く、例えば、ＩＣキャッシュカードに磁石が接近した場合に磁気ストライプのデータが破壊されることがある。このように、ＩＣキャッシュカードの磁気ストライプデータが磁石等により破壊された場合は、そのＩＣキャッシュカードは現金自動取引装置による取引ができなくなる。
【０００５】
すなわち、現金自動取引装置において、ＩＣキャッシュカードを使用して取引を行うためには、ＩＣキャッシュカードを挿入した際に磁気ストライプのデータが正常に読み取れる必要がある。そのため、磁気ストライプデータの破壊によりリードエラーとなったＩＣキャッシュカードは、顧客に返却され、現金自動取引装置での取り扱いが出来なかった。
【０００６】
その場合には、顧客が磁気ストライプデータが破壊されたＩＣキャッシュカードを金融機関の窓口に持参して、ＩＣキャッシュカードの再発行を要請する必要がある。ところが、銀行等の金融機関の窓口は、営業時間外（休日、祭日、平日の夜間など）は閉まっており、顧客はその窓口が開くまで待たなければならず不便であった。
【０００７】
この問題の改善のため、特許文献１では、ＩＣキャッシュカードの代用カードを発行して顧客に支給するシステムが提案されていた。
【先行技術文献】
【特許文献】
【０００８】
【特許文献１】特開平１１−１４３９６８号公報
【発明の概要】
【発明が解決しようとする課題】
【０００９】
しかし、特許文献１の技術では、顧客は一時的に使用できるＩＣキャッシュカードを取得できるものの、結局は、別途正規のＩＣキャッシュカードを再発行する必要があり、顧客の手間を要していた。
【００１０】
そのため、本発明の課題は、このような従来の課題を解決し、ＩＣキャッシュカードの磁気ストライプデータが破壊された場合に、金融機関の窓口に出向くことなく、現金自動取引装置が、破壊された磁気ストライプデータの復元及びＩＣキャッシュカードの再発行
ができるＩＣキャッシュカード再発行システムを提供することを課題とする。
【課題を解決するための手段】
【００１１】
本発明は、上記の課題を解決するために、現金自動取引装置を用いるＩＣキャッシュカード再発行システムであって、
現金自動取引装置からの磁気ストライプデータの再発行要求の妥当性を判定した上で当該磁気ストライプデータを前記現金自動取引装置に送信するホストコンピュータを有し、
前記現金自動取引装置が、ＩＣキャッシュカードの磁気ストライプのデータを読み取れなかった場合に、ＩＣキャッシュカードのＩＣチップのデータを読み出し、該ＩＣチップのデータと顧客に入力させた暗証番号を前記ホストコンピュータに送信し磁気ストライプデータの再発行要求を行う制御手段を有し、
前記現金自動取引装置が、前記ホストコンピュータから前記磁気ストライプデータを受信し、前記磁気ストライプデータを前記ＩＣキャッシュカードの磁気ストライプに磁気記録することで前記磁気ストライプデータを復元する手段を有することを特徴とするＩＣキャッシュカード再発行システムである。
【００１２】
本発明は、このようにして現金自動取引装置がＩＣキャッシュカードの磁気ストライプデータを復元するので、ＩＣキャッシュカードを再発行する顧客の手間を少なくできる効果がある。
【００１３】
また、本発明は、上記のＩＣキャッシュカード再発行システムであって、
前記現金自動取引装置が、前記ＩＣキャッシュカードの磁気ストライプデータを復元した後に、前記ＩＣキャッシュカードの磁気ストライプのデータを再度読み出し、前記磁気ストライプのデータを読み取れなかった場合に、通帳を前記現金自動取引装置に設置することを要求して前記通帳を受け取った上で、前記通帳の通帳データを読み取る手段を有し、前記制御手段が、前記通帳データと前記ＩＣチップのデータと前記暗証番号を前記ホストコンピュータに送信しＩＣキャッシュカードの再発行要求を行う手段を有し、
前記ホストコンピュータが、前記ＩＣキャッシュカードの再発行要求の妥当性を判定した上で当該ＩＣキャッシュカードの再発行用データを送信する手段を有し、
前記現金自動取引装置が、前記ＩＣキャッシュカードの再発行用データを受信し、カード供給部から再発行用ＩＣキャッシュカードを取り出す手段と、前記再発行用ＩＣキャッシュカードに前記再発行用データを書き込んでＩＣキャッシュカードを再発行する手段を有する
ことを特徴とするＩＣキャッシュカード再発行システムである。
【００１４】
また、本発明は、現金自動取引装置とセンタのホストコンピュータを用いるＩＣキャッシュカード再発行方法であって、
現金自動取引装置がＩＣキャッシュカードの磁気ストライプのデータを読み取れなかった場合に、ＩＣキャッシュカードのＩＣチップのデータを読み出し、該ＩＣチップのデータと顧客に入力させた暗証番号を前記ホストコンピュータに送信し磁気ストライプデータの再発行要求を行い、前記ホストコンピュータが前記磁気ストライプデータの再発行要求の妥当性を判定した上で当該磁気ストライプデータを前記現金自動取引装置に送信し、前記磁気ストライプデータを受信した前記現金自動取引装置が該磁気ストライプデータを前記ＩＣキャッシュカードの磁気ストライプに磁気記録することで前記磁気ストライプデータを復元することを特徴とするＩＣキャッシュカード再発行方法である。
【００１５】
また、本発明は、上記のＩＣキャッシュカード再発行方法であって、
前記ＩＣキャッシュカードの磁気ストライプデータを復元した後に、前記ＩＣキャッシュカードの磁気ストライプのデータを再度読み出し、前記磁気ストライプのデータを読み取れなかった場合に、通帳を前記現金自動取引装置に設置することを要求して前記通帳を受
け取った上で、前記通帳の通帳データを読み取り、
該通帳データと前記ＩＣチップのデータと前記暗証番号を前記ホストコンピュータに送信しＩＣキャッシュカードの再発行要求を行い、前記ホストコンピュータが前記ＩＣキャッシュカードの再発行要求の妥当性を判定した上で当該ＩＣキャッシュカードの再発行用データを送信し、
前記ＩＣキャッシュカードの再発行用データを受信した前記現金自動取引装置が、
カード供給部から取り出した再発行用ＩＣキャッシュカードに対して、前記ＩＣキャッシュカードの再発行用データを書き込んでＩＣキャッシュカードを再発行することを特徴とするＩＣキャッシュカード再発行方法である。
【発明の効果】
【００１６】
本発明によれば、現金自動取引装置がＩＣキャッシュカードの磁気ストライプデータを復元し、また、ＩＣキャッシュカードを再発行するので、顧客の手間が少なくなり顧客の利便性が向上する効果がある。
【００１７】
また、現金自動取引装置がＩＣキャッシュカードを再発行するので、金融機関の窓口でのＩＣキャッシュカードの再発行処理の手間が軽減される効果がある。
【図面の簡単な説明】
【００１８】
【図１】本発明の第１の実施形態のＩＣキャッシュカード再発行システムの概略の構成を示すブロック図である。
【図２】本発明の第１の実施形態で用いるＩＣキャッシュカードのデータの一例を示す図である。
【図３】本発明の第１の実施形態によるＩＣキャッシュカードの再発行処理の手順のフローチャート（その１）である。
【図４】本発明の第１の実施形態によるＩＣキャッシュカードの再発行処理の手順のフローチャート（その２）である。
【発明を実施するための形態】
【００１９】
＜第１の実施形態＞
以下、本発明の第１の実施の形態のＩＣキャッシュカード再発行システムについて、図１から図４を参照して説明する。
【００２０】
第１の実施形態は、図１のシステム構成のように、金融機関等のセンタに設置されているホストコンピュータ１に通信回線を介して現金自動取引装置２００を接続する。
【００２１】
（ホストコンピュータ）
金融機関のセンタのホストコンピュータ１は、ＩＣキャッシュカード１００を所有する顧客の取引情報を格納した顧客データファイル２の記憶装置を有する。顧客データファイル２のデータには、ＩＣキャッシュカード１００のＩＤ番号Ｄ１、金融機関番号Ｄ２、支店番号Ｄ３、口座番号Ｄ４、有効期限Ｄ５、発行回数Ｄ６、暗証番号、通帳頁情報、通帳行情報、通帳残高情報等を記憶させる。
【００２２】
（ＩＣキャッシュカード）
ＩＣキャッシュカード１００は、ＩＣチップ１０２、および、磁気ストライプ１０１を備え、また、現金自動取引装置２００のＩＣリードライト手段２１２との間でデータを交換する接触型のデータ通信インターフェース又は非接触型のデータ通信インターフェースを備えている。
【００２３】
図２に、ＩＣキャッシュカード１００のＩＣチップ１０２に記録するデータの例と、磁
気ストライプ１０１に記録するデータの例を示す。すなわち、ＩＣチップ１０２に記憶させるデータに、ＩＤ番号Ｄ１と金融機関番号Ｄ２と支店番号Ｄ３と口座番号Ｄ４と有効期限Ｄ５とＩＣキャッシュカード１００の発行回数Ｄ６を含ませる。また、磁気ストライプ１０１に記録するデータに、ＩＤ番号Ｄ１と金融機関番号Ｄ２と支店番号Ｄ３と口座番号Ｄ４とＩＣキャッシュカード１００の発行回数Ｄ６を含ませる。
【００２４】
（現金自動取引装置）
現金自動取引装置２００は、表示部を有する顧客操作部２０１と制御部手段２０２と通帳リードライト手段２０３と、カードリーダライタ２１０とカード印刷機２２１とカード供給部２２２と旧カード保管部２２３を有する。
【００２５】
（通帳リードライト手段）
通帳リードライト手段２０３は、通帳１１０の磁気ストライプ１１１にデータを読み書きする手段と、通帳の記載欄に通帳残高情報等を印字する印字手段を有する。
【００２６】
（カードリーダライタ）
カードリーダライタ２１０は、ＩＣキャッシュカード１００の磁気ストライプ１０１のデータを読み書きする磁気リードライト手段２１１と、ＩＣキャッシュカード１００のＩＣチップ１０２のデータを読み書きするＩＣリードライト手段２１２を有する。ＩＣリードライト手段２１２は、自動取引に用いるＩＣキャッシュカード１００のデータ通信インターフェースが非接触型又は接触型であるかに従って、非接触方式又は接触方式でデータ通信を行うＩＣリードライト手段２１２を用いる。
【００２７】
（カードの再発行手段）
また、現金自動取引装置２００のカード印刷機２２１とカード供給部２２２とカード印刷機２２１と旧カード保管部２２３とはＩＣキャッシュカード１００の再発行を行うために用いる。すなわち、カード供給部２２２から再発行すべき未発行状態のＩＣキャッシュカード１００を取り出してデータを書き込んで、カード印刷機２２１がエンボス加工をして再発行したＩＣキャッシュカード１００を顧客に引き渡す。新ＩＣキャッシュカード１００の顧客への再発行と引渡しにともない、旧ＩＣキャッシュカード１００は現金自動取引装置２００が引き取って、旧カード保管部２２３で一時的に保管する。
【００２８】
（動作手順）
以下、第１の実施の形態に係るＩＣキャッシュカード再発行システムの動作手順を、図３から図４のフローチャートを参照して説明する。
【００２９】
（ステップＳ１）
利用者が現金自動取引装置２００に近づき所定の操作範囲内に入ると、現金自動取引装置２００の顧客操作部２０１の表示部の画面表示を待機状態から取引選択画面表示に切り換える。
【００３０】
利用者によりＩＣキャッシュカード１００が挿入され、挿入検知センサ８１が挿入を検知すると、制御部手段２０２はカード処理部８全体を制御して、ＩＣキャッシュカード１００をカードリーダライタ２１０の磁気リードライト手段２１１まで搬送する。磁気リードライト手段２１１は、ＩＣキャッシュカード１００の磁気ストライプ１０１に記録された磁気ストライプデータを読み取る。
【００３１】
（ステップＳ２）
ここで、磁気ストライプ１０１に記録された磁気ストライプデータの、金融機関毎の識別コードや口座番号等が読み取れた場合には、通常の取引処理に進み、次には、暗証番号
の入力操作誘導等を行う。
【００３２】
（ステップＳ３）
しかし、磁気ストライプ１０１から磁気ストライプデータの一部が読み取れず、金融機関コードや利用者の口座番号が判読できない場合には、所定回数のリトライ動作を実行して再読み取りを行なう。リトライ動作を行って再度判読できなかった場合は、顧客操作部２０１の表示部に、磁気ストライプ復元の選択画面を表示して、顧客操作部２０１から顧客の指令を入力させる。
【００３３】
そして、顧客が磁気ストライプ復元を選択せずに通常の処理終了を選択した場合は、顧客にＩＣキャッシュカードを返却し、その後、顧客待ちとする。
【００３４】
（ステップＳ４）ＩＣキャッシュカードの磁気ストライプ復元処理
一方、顧客が、磁気ストライプ復元処理を選択した場合は、制御部手段２０２は、顧客操作部２０１の表示部の画面に磁気ストライプデータの復元を開始した旨の通知画面を表示する。
【００３５】
次に、ＩＣキャッシュカード１００をカードリーダライタ２１０のＩＣリードライト手段２１２まで搬送し、ＩＣリードライト手段２１２を用いてＩＣデータの読出指令コマンドをＩＣキャッシュカード１００のＩＣチップ１０２へ送信する。
【００３６】
そして、この指令コマンドを受信したＩＣチップ１０２は、記憶しているＩＤ番号Ｄ１、金融機関番号Ｄ２、支店番号Ｄ３、口座番号Ｄ４、有効期限Ｄ５、発行回数Ｄ６等のデータをＩＣリードライト手段２１２を介して現金自動取引装置２００の制御部手段２０２に送信する。
【００３７】
（ステップＳ５）
現金自動取引装置２００の制御部手段２０２は、ＩＣキャッシュカード１００のＩＣチップ１０２からこれらのＩＣチップデータを受信後、顧客に、顧客操作部２０１から暗証番号を入力させる。
【００３８】
（ステップＳ６）
顧客が顧客操作部２０１から暗証番号を入力すると、制御部手段２０２は、ＩＣチップ１０２のＩＤ番号Ｄ１から発行回数Ｄ６までのＩＣチップデータと暗証番号のデータをセンタのホストコンピュータ１へ送信して、ＩＣキャッシュカードの磁気ストライプデータの再発行要求を行う。
【００３９】
（ステップＳ７）
センタのホストコンピュータ１は、現金自動取引装置２００からＩＣチップデータを受信してＩＣキャッシュカードの磁気ストライプデータの再発行要求を受信した場合は、受信したＩＣチップデータと暗証番号を、顧客データファイル２のデータと比較して磁気ストライプデータの再発行要求の妥当性を判定する。
【００４０】
すなわち、ホストコンピュータ１では、ＩＣキャッシュカード１００のＩＣチップ１０２から読み出した口座番号Ｄ４等のＩＣチップデータと顧客が入力した暗証番号を、顧客データファイル２内の情報と比較することで磁気ストライプデータの再発行要求の妥当性を判定する。
【００４１】
（ステップＳ８）
その結果、磁気ストライプデータの再発行要求が妥当なものであると判定した場合には
、ホストコンピュータ１は、再発行するＩＣキャッシュカード１００の磁気ストライプデータを顧客データファイル２から読出して、そのデータを現金自動取引装置２００に送信することでＩＣキャッシュカード１００の磁気ストライプデータの再発行を指示する。このとき、ホストコンピュータ１が記憶する顧客データファイル２内に、「カード磁気復元」の履歴を記録し、また、そのＩＣキャッシュカード１００の発行用データの発行回数の値をカウントアップされた値に書換える。
【００４２】
（ステップＳ９）
現金自動取引装置２００では、ＩＣキャッシュカード１００を磁気リードライト手段２１１まで搬送すると共に、ホストコンピュータ１から指定されたデータをＩＣキャッシュカード１００の磁気ストライプ１０１に磁気記録する。
【００４３】
（ステップＳ１０）
制御部手段２０２は、再度、磁気リードライト手段２１１で、ＩＣキャッシュカード１００の磁気ストライプ１０１から磁気ストライプデータを読み取る。ここで、そのデータの読み取りに成功した場合は磁気ストライプデータが正常に復元できたことが確認できる。その場合は、以降の通常の現金取り扱い処理に進み、次には、暗証番号の入力や出金額の入力等の処理に進む。
【００４４】
（ステップＳ１１）
ここで、ステップＳ１０の処理で異常終了した場合は、制御部手段２０２は、ＩＣキャッシュカード１００の磁気ストライプ１０１の破壊が復元できないと判定し、異常終了した旨を報告するデータをホストコンピュータ１に送信する。
【００４５】
（ステップＳ１２）
そして、制御部手段２０２は、顧客に、ＩＣキャッシュカード１００の再発行するか否かの処理を選択させる画面を表示する。顧客がＩＣキャッシュカード１００の再発行処理を選択しない場合は、ＩＣキャッシュカード１００を顧客に返却して処理を終了する。
【００４６】
（ステップＳ１３）ＩＣキャッシュカード再発行処理
顧客がＩＣキャッシュカード１００の再発行処理を選択した場合は、顧客操作部２０１の表示部に通帳挿入要求画面を表示し、顧客に、磁気ストライプデータが破壊されたＩＣキャッシュカード１００と同じ口座番号の通帳１１０を所定の挿入口から挿入させる。現金自動取引装置２００に通帳１１０が挿入されると、制御部手段２０２は、通帳の磁気ストライプ１１１に磁気記録されている通帳データを読み取る。
【００４７】
（ステップＳ１４）
次に、現金自動取引装置２００の制御部手段２０２は、顧客に顧客操作部２０１から暗証番号を入力させる。
【００４８】
（ステップＳ１５）
顧客が顧客操作部２０１から暗証番号を入力すると、制御部手段２０２は、通帳１１０に記録されている通帳データとＩＣチップデータと顧客が入力した暗証番号のデータをセンタのホストコンピュータ１へ送信して、ＩＣキャッシュカード再発行要求指令を送信する。
【００４９】
（ステップＳ１６）
ホストコンピュータ１は、現金自動取引装置２００から通帳データとＩＣチップデータと顧客が入力した暗証番号のデータとＩＣキャッシュカード再発行要求指令を受信した場合に、受信したデ通帳データとＩＣチップデータを顧客データファイル２のデータと比較
してその要求の妥当性を判定する。
【００５０】
すなわち、ホストコンピュータ１では、通帳１１０とＩＣキャッシュカード１００のＩＣチップ１０２から読み出した口座番号Ｄ４、顧客が入力した暗証番号を、顧客データファイル２内の情報と比較することでＩＣキャッシュカード再発行要求の妥当性を判定する。
【００５１】
（ステップＳ１７）
ホストコンピュータ１は、ＩＣキャッシュカード再発行要求が妥当なものであると判定した場合には、顧客データファイル２から、再発行するＩＣキャッシュカード１００の再発行用データ（ＩＣチップ１０２への書き込み情報、ＩＣキャッシュカード１００のエンボスへの印刷情報、磁気ストライプデータ）を読出す。そして、それらのデータを現金自動取引装置２００に送信し、ＩＣキャッシュカード再発行指示コマンドのデータを送信する。
【００５２】
また、ホストコンピュータ１は、その記憶する顧客データファイル２内の該当するＩＣキャッシュカード１００の発行回数の値をカウントアップして記憶する。
【００５３】
（ステップＳ１８）
ホストコンピュータ１からのＩＣキャッシュカード再発行指令コマンドを受信した現金自動取引装置２００は、カード供給部２２２から再発行用ＩＣキャッシュカード１００を取り出す。そして、以下のようにして、この再発行用ＩＣキャッシュカード１００に、元のＩＣキャッシュカード１００の情報を書き込む。
【００５４】
先ず、現金自動取引装置２００は、ホストコンピュータ１からの受信データに基づき、再発行用のＩＣキャッシュカードの磁気ストライプ部へ情報を書き込み、ＩＣチップ１０２に情報を書き込む。次に、再発行用ＩＣキャッシュカードにエンボス加工により、金融機関番号，支店番号，口座番号、会員氏名、有効期限等を、ＩＣキャッシュカード１００の厚み方向に凹凸を形成することで印刷する。
【００５５】
そして、現金自動取引装置２００は、こうして作成したＩＣキャッシュカードをカード発行口から搬出して顧客に引き渡す。また、通帳１１０を顧客に返却する。旧ＩＣキャッシュカード１００は現金自動取引装置２００が引き取って、旧カード保管部２２３で一時的に保管する。その後、顧客待ち状態となる。
【００５６】
（ステップＳ１９）
再発行したＩＣキャッシュカードがカード発行口から抜取られると、現金自動取引装置２００は、ＩＣキャッシュカードの再発行の完了通知をホストコンピュータ１に送信する。
【００５７】
現金自動取引装置２００からＩＣキャッシュカードの再発行の完了通知を受け取ったホストコンピュータ１は、顧客データファイル２に、最新の発行回数が付与されているカードのみを有効にする記録を書き込む。
【符号の説明】
【００５８】
１・・・ホストコンピュータ
２・・・顧客データファイル
１００・・・ＩＣキャッシュカード
１０１・・・磁気ストライプ
１０１・・・ＩＣチップ
１１０・・・通帳
１１１・・・通帳の磁気ストライプ
２００・・・現金自動取引装置
２０１・・・顧客操作部
２０２・・・制御手段
２０３・・・通帳リードライト手段
２１０・・・カードリーダライタ
２１１・・・磁気リードライト手段
２１２・・・ＩＣリードライト手段
２２１・・・カード印刷機
２２２・・・カード供給部、
２２３・・・旧カード保管部
Ｄ１・・・ＩＤ番号
Ｄ２・・・金融機関番号
Ｄ３・・・支店番号
Ｄ４・・・口座番号
Ｄ５・・・有効期限
Ｄ６・・・発行回数
【図１】
2015111331.tif 000003
【図２】
2015111331.tif 000004
【図３】
2015111331.tif 000005
【図４】
2015111331.tif 000006